(57)【要約】【課題】専用治具を用いることなく、金属フレームに対する取付部品の位置決めを容易に行うことができる。【解決手段】正面側キャビネット３にインサート成形された金属フレーム４に、タッチパネルフレキ、液晶フレキ及びガスケット位置決め用端部６ａ，６ｂ，６ｄが形成された絶縁シート６を貼り付ける。メイン基板５を絶縁シート６を覆うように設け、タッチパネルフレキ、液晶フレキ及びガスケット位置決め用端部６ａ，６ｂ，６ｄに沿うように、タッチパネル用フレキシブル基板７、液晶用フレキシブル基板８及び導電性ガスケット９を金属フレーム４にそれぞれ配置する。【選択図】図３
2014187526.tif 000002
【特許請求の範囲】
【請求項１】
金属フレームを有する電子機器において、
上記金属フレームに貼り付けられ、部品位置決め用端部が形成された絶縁シートと、
上記絶縁シートを覆うように設けられる基板と、
上記部品位置決め用端部に沿って上記金属フレームに配置される取付部品とを備えている
ことを特徴とする電子機器。
【請求項２】
請求項１に記載の電子機器において、
上記金属フレームの上記基板と反対側には、液晶ディスプレイが設けられ、
上記取付部品は、上記液晶ディスプレイから延び、上記金属フレームの上記基板側に折り曲げられるフレキシブル基板であり、
上記フレキシブル基板の周縁を上記部品位置決め用端部に沿わせることで上記金属フレームに対して位置決めされている
ことを特徴とする電子機器。
【請求項３】
請求項２に記載の電子機器において、
上記フレキシブル基板の周縁の厚さは、上記絶縁シートの厚さと等しく、
上記フレキシブル基板及び上記絶縁シートが上記基板に当接している
ことを特徴とする電子機器。
【請求項４】
請求項１に記載の電子機器において、
上記取付部品は、上記基板を上記金属フレームに接地するための導電性ガスケットであり、
上記部品取付用端部に隙間を保って上記導電性ガスケットが所定位置に貼り付けられている
ことを特徴とする電子機器。
【請求項５】
請求項１から４のいずれか１つに記載の電子機器において、
上記絶縁シートには、上記取付部品又は上記金属フレーム近傍に取り付けられる組付部品の情報を示す部品情報表示が記載されている
ことを特徴とする電子機器。
【請求項６】
請求項１から５のいずれか１つに記載の電子機器において、
上記金属フレームがインサート成形されたキャビネットを有する携帯端末である
ことを特徴とする電子機器。
【発明の詳細な説明】
【技術分野】
【０００１】
本発明は、金属フレームを有する電子機器に関するものである。
【背景技術】
【０００２】
従来より、電子機器のキャビネットに金属フレームをインサート成形して厚さを薄く保ちながら剛性を確保することは知られている（例えば、特許文献１参照）。このような電子機器では、金属フレームの表面に取付部品を配置する場合、金属フレームにけがき用の突条を設ける等によって配置する取付部品の位置決めを行っている。
【先行技術文献】
【特許文献】
【０００３】
【特許文献１】特開２００９−２６７９８５号公報
【発明の概要】
【発明が解決しようとする課題】
【０００４】
しかしながら、従来の電子機器では、突条等による、けがき線の形成を金属フレームを成形する際の金型で行っているので、取付部品の位置変更をするためには金型を作り替えなければならない。このため、取付部品等の位置変更を行うのが困難であるという問題がある。
【０００５】
一方、突条等でけがき線を設けない場合には、位置決めのために専用治具が必要となり、治具の配置及び取り外しという余計な作業が必要となるという問題がある。
【０００６】
本発明は、かかる点に鑑みてなされたものであり、その目的とするところは、金属フレームにけがき線を設けたり、専用治具を用いたりすることなく、金属フレームに対する取付部品の位置決めを容易にすることにある。
【課題を解決するための手段】
【０００７】
上記の目的を達成するために、この発明では、金属フレームに貼り付ける絶縁シートを取付部品の位置決めに利用した。
【０００８】
具体的には、第１の発明では、金属フレームを有する電子機器を前提とする。
【０００９】
そして、上記電子機器は、上記金属フレームに貼り付けられ、部品位置決め用端部が形成された絶縁シートと、
上記絶縁シートを覆うように設けられる基板と、
上記部品位置決め用端部に沿って上記金属フレームに配置される取付部品とを備えている。
【００１０】
上記の構成によると、絶縁シートの周縁に形成した部品位置決め用端部に沿って取付部品の周縁を位置決めすればよいので、金属フレームに位置決め用の突条等によるけがき線を設ける必要がなく、専用治具も必要としない。このため、細かい配置位置の設計変更等のたびに金型や治具を新しくする必要がなく、また治具を用いた余分な工程を行う必要がない。さらに、基板と金属フレームとを絶縁するための絶縁シートを位置決めに利用しているので、部品点数が増えない。
【発明の効果】
【００１１】
以上説明したように、本発明によれば、金属フレームに貼り付ける絶縁シートの周縁に沿って取付部品を配置するようにしたので、専用治具を用いることなく、金属フレームに対する取付部品の位置決めを容易にすることができる。
【図面の簡単な説明】
【００１２】
【図１】本発明の実施形態にかかる金属フレームに貼り付けられた絶縁シート及びその周辺を示す斜視図である。
【図２】携帯電話機を正面側から見た斜視図である。
【図３】正面側キャビネット及びメイン基板を示す分解斜視図である。
【図４】正面側キャビネット及びその周辺を示す斜視図である。
【発明を実施するための形態】
【００１３】
以下、本発明の実施形態を図面に基づいて説明する。
【００１４】
図１は、本発明の実施形態にかかる金属フレーム４に貼り付けられた絶縁シート６及びその周辺を示す斜視図であり、図２は、電子機器（携帯端末）としての携帯電話機１を示す斜視図である。図３は、正面側キャビネット３及びメイン基板５を示す分解斜視図であり、図４は、正面側キャビネット３及びその周辺を示す斜視図である。
【００１５】
携帯電話機１は、例えばいわゆるスマートフォンであり、正面側にタッチパネルを含む液晶ディスプレイ２が収容された正面側キャビネット３を有する。正面側キャビネット３には、金属フレーム４がインサート成形され、液晶ディスプレイ２は、金属フレーム４の表面側の正面側キャビネット３の周縁にはめ込まれている。金属フレーム４は、ステンレス合金、アルミニウム合金、マグネシウム合金等の薄板よりなり、プレス金型による成形品でも、金型による成型品でもよい。
【００１６】
金属フレーム４の背面側には、携帯電話機１を制御する電子部品等を有するメイン基板５が収容されている。このメイン基板５にノイズなどを発生させないように、金属フレーム４の背面には、絶縁シート６が貼り付けられている。絶縁シート６は、例えばＰＥＴ樹脂のシートよりなるが、絶縁性のあるシートであれば特に限定されない。
【００１７】
そして、本発明の特徴として、絶縁シート６の周縁には、タッチパネルフレキ位置決め用端部６ａ及び液晶フレキ位置決め用端部６ｂが形成されている。タッチパネルフレキ及び液晶フレキ位置決め用端部６ａ，６ｂは、例えば、絶縁シート６の下端側に形成されている。
【００１８】
一方、液晶ディスプレイ２は、そのタッチパネルから下方へ延びるタッチパネル用フレキシブル基板７と、液晶ユニットから下方へ延びる液晶用フレキシブル基板８とを有する。これらの取付部品としてのタッチパネル用フレキシブル基板７及び液晶用フレキシブル基板８は、液晶ディスプレイ２の下端から延びて互いに重ねられ、金属フレーム４に貫通形成したフレキ用スリット４ａを通るように背面側へ折り曲げられ、それぞれのコネクタがメイン基板５に接続されるようになっている。絶縁シート６の厚さは、位置決めのしやすさの観点で、ある程度の厚さがあるのが望ましく、例えば０．３ｍｍ以上とし、タッチパネル用フレキシブル基板７の厚さと液晶用フレキシブル基板８の厚さとを合わせた厚さとほぼ等しくなっている。なお、ここで「等しい」が意味するのは、完全に同じ厚さという意味ではなく、液晶ディスプレイ２のにじみ模様発生防止という面で、メイン基板５にほぼ均等の力で当接するような程度に等しい厚さであることを意味する。
【００１９】
図３に示すように、タッチパネルフレキ位置決め用端部６ａは、タッチパネル用フレキシブル基板７のコーナー部７ａの丸みに沿うように切り欠かれている。液晶フレキ位置決め用端部６ｂは、液晶用フレキシブル基板８の傾斜部８ａの傾斜に沿うように切り欠かれている。金属フレーム４には、折り返されたタッチパネル用フレキシブル基板７及び液晶用フレキシブル基板８がタッチパネルフレキ及び液晶フレキ位置決め用端部６ａ，６ｂに位置決めされた状態で金属フレーム４に当接する位置に固定用の両面テープ１０が貼り付けられている。
【００２０】
また絶縁シート６には、例えば、２つの位置決め用孔６ｃが形成されている。この位置決め用孔６ｃは、金属フレーム４に形成した一対の貫通孔４ｂに対応して形成され、絶縁シート６を金属フレーム４に貼り付ける際に位置決め用孔６ｃを貫通孔４ｂに位置合わせすることで、絶縁シート６の位置合わせが簡単且つ確実に行われるようになっている。絶縁シート６の位置決めは、この位置決め用孔６ｃに限定されず、金属フレーム４の他のスリットや凹部に合わせて位置決めするようにしてもよい。絶縁シート６は、金属フレーム４をインサート成形した後の正面側キャビネット３に対して早い段階で位置決め用孔６ｃを利用して貼り付けられる。このように最初に絶縁シート６の位置決めを正確にすることで、タッチパネル用フレキシブル基板７、液晶用フレキシブル基板８及び導電性ガスケット９の位置決めがきわめて正確に行われるようになっている。
【００２１】
また、絶縁シート６の左右端部には、例えば３つのガスケット位置決め用端部６ｄが矩形状に切り欠かれている。例えばこのガスケット位置決め用端部６ｄは、メイン基板５を金属フレーム４に接地するための矩形テープ状のガスケット９を位置決めするためのものであり、ガスケット９の外周から所定の隙間を空けるような大きさに絶縁シート６を切り欠いて形成されている。
【００２２】
さらに絶縁シート６の上側には、正面側キャビネット３における金属フレーム４を覆う樹脂部分の上側に取り付けられる組付部品としてのスピーカの情報を示す部品情報表示６ｅが記載されている。図示しないが、部品情報表示６ｅとして例えばスピーカの裏面側の接続端子の形状を印刷することで、スピーカの取付方向を明確にして取付間違いをなくすようにしている。この部品情報表示６ｅは、このようなスピーカ以外の組付部品の取付方向を表示してもよく、また、組付部品の取付方向だけでなく、組付部品又は取付部品の名称、部品番号等、組立作業者の役に立つ情報であれば何を表示してもよい。
【００２３】
以上のように構成したので、本実施形態では、以下の効果が発揮される。
【００２４】
第１に、絶縁シート６の周縁に形成したタッチパネルフレキ及び液晶フレキ位置決め用端部６ａ，６ｂに対し、折り曲げられたタッチパネル用フレキシブル基板７及び液晶用フレキシブル基板８の周縁を当接させて位置決めすればよいので、金属フレーム４に位置決め用の突条を設ける必要がなく、専用治具も必要としない。このため、細かい配置位置の設計変更は、絶縁シート６の形状変更で対応すればよく、金型や治具を新しくする必要がない。また、治具を用いた余分な工程を省くことができる。また、目視で位置決めするのに比べてタッチパネルフレキ及び液晶フレキ位置決め用端部６ａ，６ｂをガイドとして利用するので、簡単且つ精度よくタッチパネル用フレキシブル基板７及び液晶用フレキシブル基板８の位置決めを行うことができる。さらに、メイン基板５と金属フレーム４とを絶縁するための絶縁シート６を利用しているので、部品点数が増えない。
【００２５】
第２に、本実施形態では、金属フレーム４のメイン基板５と反対側には、液晶ディスプレイ２が設けられ、取付部品は、液晶ディスプレイ２から延び、金属フレーム４のメイン基板５側に折り曲げられるタッチパネル用フレキシブル基板７及び液晶用フレキシブル基板８であり、両フレキシブル基板７，８の周縁が、タッチパネルフレキ及び液晶フレキ位置決め用端部６ａ，６ｂと当接することで金属フレーム４に対して位置決めされている。このように、タッチパネル用フレキシブル基板７及び液晶用フレキシブル基板８の周縁が絶縁シート６の周縁と当接することで、両フレキシブル基板７，８が正確に位置決めされる。
【００２６】
第３に、本実施形態では、タッチパネル用フレキシブル基板７及び液晶用フレキシブル基板８の周縁の厚さ（具体的には、両フレキシブル基板７，８が重なり合った部分の厚さ）は、絶縁シート６の厚さとほぼ等しく、両フレキシブル基板７，８及び絶縁シート６がメイン基板５に対してほぼ等しい圧力で当接している。このように、タッチパネル用フレキシブル基板７及び液晶用フレキシブル基板８と絶縁シート６との間で厚さの差がなくなると、液晶ディスプレイ２の一部に圧力が加わることがなく、液晶ディスプレイ２にじみ模様が出ることはない。但し、このような効果は、液晶ディスプレイ２が表面側にある場合に限定されるので、厚さの差の限定は、それ以外の実施形態では特に問題とはならない。
【００２７】
第４に、メイン基板５を金属フレーム４に接地するための導電性ガスケット９を、ガスケット位置決め用端部６ｄに隙間を保って所定位置に貼り付けるようにしたので、導電性ガスケット９を正確且つ容易に貼り付けることができる。
【００２８】
第５に、絶縁シート６にスピーカの取付方向を示す部品情報表示６ｅを記載したので、スピーカの取付方向を迷うことなくスピーカを取り付けることができるので、作業性がきわめて向上する。
【００２９】
第６に、本実施形態では、金属フレーム４がインサート成形された正面側キャビネット３を有する携帯電話機１を対象とした。この場合、組立性がよく、けがき線を必要としないので、配置位置が変更されても絶縁シート６の形状を変更するだけでよく、また、治具も必要としないことから、製造コストが抑えられた携帯体電話機１が得られる。
【００３０】
したがって、本実施形態にかかる携帯電話機１によると、金属フレームにけがき線を設けたり、専用治具を用いたりすることなく、金属フレーム４に対する取付部品の位置決めを容易にすることができる。
【００３１】
（その他の実施形態）
本発明は、上記実施形態について、以下のような構成としてもよい。
【００３２】
すなわち、上記実施形態では、取付部品がタッチパネル用フレキシブル基板７、液晶用フレキシブル基板８及び導電性ガスケット９の例を示したが、本発明はこれに限定されず、取付部品は、金属フレーム４に貼り付けられたり、配置されたりする他の部品でもよい。
【００３３】
また、部品位置決め用端部の個数や形成位置は特に限定されない。
【００３４】
上記実施形態では、金属フレーム４は、プレス成形品としたが、マグネシウム、アルミニウム等の流し込みによる金属成型品であってもよい。要は、金属フレーム４が、何らかの金型で成形される場合に本発明の効果が顕著に現れる。
【００３５】
上記実施形態では、金属フレーム４をインサート成形した正面側キャビネット３を有する例について説明したが、金属フレームが単独でキャビネットを構成したり、別部品のキャビネットに対して接着、ビス止め等されたりしてもよい。
【００３６】
上記実施形態では、電子機器は、携帯端末である携帯電話機１としたが、携帯端末であるＰＨＳ（Personal Handy-phone System）、ＰＤＡ(PersonalDigital Assistant)、スマートフォン、パソコン、モバイルツール、電子辞書、電卓、ゲーム機等であってもよく、電子機器である、液晶ディスプレイ、液晶テレビ、ブルーレイ（ＤＶＤ）レコーダ等であってもよい。
【００３７】
なお、以上の実施形態は、本質的に好ましい例示であって、本発明、その適用物や用途の範囲を制限することを意図するものではない。また、各実施形態に記載された技術的特徴は、互いに組合せ可能であり、組み合わせることにより、新しい技術的特徴を形成することができる。
【符号の説明】
【００３８】
１      携帯電話機（電子機器、携帯端末）
２      液晶ディスプレイ
３      正面側キャビネット
４      金属フレーム
４ａ    フレキ用スリット
５      メイン基板（基板）
６      絶縁シート
６ａ    タッチパネルフレキ位置決め用端部
６ｂ    液晶フレキ位置決め用端部
６ｃ    位置決め用孔 
６ｄ    ガスケット位置決め用端部 
６ｅ    部品情報表示 
７      タッチパネル用フレキシブル基板（取付部品）
７ａ    コーナー部
８      液晶用フレキシブル基板（取付部品）
８ａ    傾斜部
９      導電性ガスケット
１０      両面テープ
【図１】
2014187526.tif 000003
【図２】
2014187526.tif 000004
【図３】
2014187526.tif 000005
【図４】
2014187526.tif 000006